(57)【要約】【課題】  周囲の環境に応じて、音量もしくは入力感度を適切に調節可能な携帯端末装置を提供する。【解決手段】  携帯電話機のＣＰＵは、ＩＱパケットをブロードキャストして（Ｓ２１０）、周囲にＢｌｕｅｔｏｏｔｈ（登録商標）規格に基づいて無線通信を行う外部装置が存在するか否かを確認する（Ｓ２２０）。外部装置からＦＨＳパケットを受信し、外部装置が存在することを確認すると（Ｙｅｓ：Ｓ２２０）、そのうちの１つにＩＤパケットを送信し、この外部装置に搭載されているプロファイルの種類を確認する（Ｓ２３０）。ここで、外部装置が対象プロファイル（インターコムプロファイルもしくはヘッドセットプロファイル）を搭載していることを確認すると（Ｙｅｓ：Ｓ２４０）、ＣＰＵは、マナーモード設定を判定結果とし（Ｓ２７０）、携帯電話機をマナーモードに設定する。【選択図】図３
2006020304.tif 000002
【特許請求の範囲】
【請求項１】
音出力部を有し、該音出力部より出力される音量を制御可能な携帯端末装置であって、
所定範囲内にある外部装置から、その外部装置を特定するための特定情報を受信する受信手段と、
前記受信手段により受信した前記特定情報に基づき、前記音出力部により出力される音量を制御すべきか判断する判断手段と、
前記判断手段により音量を制御すべきであると判断した場合に、前記音出力より出力される音量を制御する制御手段とを備えることを特徴とする携帯端末装置。
【請求項２】
該携帯端末装置は携帯電話機であり、
前記音出力部により他の携帯電話機からの着信音が出力される場合に、前記制御手段は、前記着信音の出力を禁止することを特徴とする請求項１に記載の携帯端末装置。
【請求項３】
振動を発生させる振動部をさらに備え、
前記制御手段は、さらに前記振動部により振動を発生させることを特徴とする請求項２に記載の携帯端末装置。
【請求項４】
前記受信手段は、前記外部装置から特定情報として通話装置である旨の情報を受信し、前記判断手段は、前記受信手段により前記通話装置である旨の特定情報を受信した場合に、前記音量を制御すべきであると判断することを特徴とする請求項１乃至３のいずれか1項に記載の携帯端末装置。
【請求項５】
前記判断手段は、さらに、前記受信手段により前記外部装置から特定情報として通話装置である旨の情報を所定台数以上受信した場合に、音量を制御すべきであると判断することを特徴とする請求項４に記載の携帯端末装置。
【請求項６】
音声を入力する携帯端末装置であって、
所定範囲内にある外部装置から、その外部装置を特定するための特定情報を受信する受信手段と、
前記受信手段により受信した特定情報に基づき、入力する音声の入力感度を制御すべきか判断する判断手段と、
前記判断手段により入力感度を制御すべきであると判断した場合に、前記入力感度を制御する制御手段とを備えることを特徴とする携帯端末装置。
【発明の詳細な説明】
【技術分野】
【０００１】
本発明は、音量又は入力感度を制御する携帯端末装置に関する。
【背景技術】
【０００２】
従来より、携帯電話機には、電車内等のように大勢の人がいる場所や劇場内等のように静粛にすべき場所で電話や電子メールを着信しても周りの人に迷惑を懸けないようにマナーモードが用意されている。
【０００３】
一般的に、携帯電話機がマナーモードに設定されると、携帯電話機の着信音はＯＦＦされ、着信音の代わりに携帯電話機自体が着信と共に振動したり、又、小さな声でも会話ができるように、携帯電話機のマイクの感度が高められる。尚、マナーモードは、使用者の手動操作によって設定される。
【０００４】
【特許文献１】特開２００１−２６８６４１号公報
【特許文献２】特開２００１−２１８２６４号公報
【発明の開示】
【発明が解決しようとする課題】
【０００５】
ところが、上記した従来の携帯電話機では、使用者がマナーモードを設定し忘れると、電話や電子メールの着信時に着信音が鳴ったり、大声で通話をしたりして、周りの人に不快な思いをさせてしまうという問題点があった。
【０００６】
又、携帯電話機と同様に、携帯型の音楽再生装置（例えば、ＭＰ３プレーヤなど）では、使用者自身が音楽に夢中になるあまり、ヘッドホンから漏れる音に対して注意が疎かになり、周りの人に不快な思いをさせてしまうという問題点があった。
【０００７】
そこで、本発明は、上記問題点を解決するために、周囲の環境に応じて、音量もしくは入力感度を適切に調節可能な携帯端末装置を提供することを目的とする。
【課題を解決するための手段】
【０００８】
上記目的を達成するためになされた本願第一の発明の携帯端末装置は、音出力部を有し、該音出力部より出力される音量を制御可能な携帯端末装置であって、所定範囲内にある外部装置から、その外部装置を特定するための特定情報を受信する受信手段と、前記受信手段により受信した前記特定情報に基づき、前記音出力部により出力される音量を制御すべきか判断する判断手段と、前記判断手段により音量を制御すべきであると判断した場合に、前記音出力より出力される音量を制御する制御手段とを備えることを特徴とする。
【０００９】
また、該携帯端末装置は携帯電話機であり、前記音出力部により他の携帯電話機からの着信音が出力される場合に、前記制御手段は、前記着信音の出力を禁止するように構成するとよい。
【００１０】
さらに、振動を発生させる振動部をさらに備え、前記制御手段は、さらに前記振動部により振動を発生させるように構成するとよい。
【００１１】
また、前記受信手段は、前記外部装置から特定情報として通話装置である旨の情報を受信し、前記判断手段は、前記受信手段により前記通話装置である旨の特定情報を受信した場合に、前記音量を制御すべきであると判断するように構成するとよい。
【００１２】
さらに、前記判断手段は、さらに、前記受信手段により前記外部装置から特定情報として通話装置である旨の情報を所定台数以上受信した場合に、音量を制御すべきであると判断するように構成するとよい。
【００１３】
また、本願第二の発明は、音声を入力する携帯端末装置であって、所定範囲内にある外部装置から、その外部装置を特定するための特定情報を受信する受信手段と、前記受信手段により受信した特定情報に基づき、入力する音声の入力感度を制御すべきか判断する判断手段と、前記判断手段により入力感度を制御すべきであると判断した場合に、前記入力感度を制御する制御手段とを備えることを特徴とする。
【発明の効果】
【００１４】
本願第一及び第二の発明のように構成された携帯端末装置により、周囲の環境に応じて、携帯端末装置の音量や入力感度を適切に調節することができる。
【００１５】
携帯端末装置として、例えば、近年普及している携帯電話機や携帯型の音楽再生装置が、外部装置から特定情報を受信した際に、携帯端末装置の音量を低減、或いは、ＯＦＦするように制御手段を設定すれば、周囲に人間が存在する環境において、携帯端末装置の音量を低減、或いは、ＯＦＦすることができる。また、外部装置から特定情報を受信した際に、携帯端末装置の入力感度を増幅するように制御手段を設定すれば、周囲に人間が存在する環境において、携帯端末装置の入力感度を増幅することができる。その結果、携帯端末装置の音量によって、周りの人に不快な思いをさせてしまうことを確実に防止したり、周りの人に不快な思いをさせないように小さな声でしか話すことができない環境でも、音声を確実に携帯端末装置に入力することができる。
【００１６】
また、携帯電話機の着信音の出力を禁止することで、周囲に他の人間がいるような環境において、電話や電子メールの着信音が鳴って、周囲に不快な思いをさせることを防止できる。
【００１７】
また、外部装置の特定情報として通話装置である旨の情報を受信し、判断手段が、前記受信手段により前記通話装置である旨の特定情報を受信した場合に、前記音量を制御すべきであると判断することにより、人間に携帯される外部装置ではなく、固定された外部装置を検出しても、制御手段が携帯端末装置を音量制御してしまうことを防止できる。即ち、本発明によれば、周囲の環境により適切に応じて、携帯端末装置の音量制御を行うことができる。
【００１８】
また、外部装置の数が所定の値に達すると前記音量制御を行うように設定されることにより、周囲に少数の外部装置しかなく、少数の人間しか存在しないと考えられる環境であるにも関わらず、制御手段が、携帯端末装置の音量を調節したり入力感度を増幅してしまうことを防止できる。
【発明を実施するための最良の形態】
【００１９】
以下に本発明の実施形態を図面と共に説明する。
【００２０】
［第１実施形態］
まず、図１は、本発明を適用した携帯電話機の内部構成を示すブロック図である。
【００２１】
図１に示すように、携帯電話機１は、液晶ディスプレイ等からなり、電話番号や電子メールの内容等を表示するための表示部１２と、ボタンスイッチ等からなり、当該携帯電話機１を操作するための操作部１３と、着信音を出力する着信音出力部１４と、音声データを音声に変換して出力する音声出力部１５と、音声を入力するためのマイク等からなり、マイクに入力された音声を音声データに変換する音声入力部１６と、当該携帯電話機１を振動させる振動モータ等からなる振動発生部１７と、携帯電話網の通信規格に基づいて、データを変復調する送受信部１８と、Ｂｌｕｅｔｏｏｔｈ（登録商標）規格に基づいて、データを変復調する通信モジュール１９と、携帯電話網の通信規格やＢｌｕｅｔｏｏｔｈ（登録商標）規格に基づいて、送受信部１８及び通信モジュール１９の制御やパケットの生成等を行うと共に、電話や電子メールの発信や受信等に応じて携帯電話機１の各部を制御するＣＰＵ１０と、ＣＰＵ１０が行う処理のプログラムや処理に用いるデータ等を記憶し、これらを必要に応じてＣＰＵ１０へ供給するＲＯＭやＲＡＭからなるメモリ１１とから構成されている。
【００２２】
但し、着信音出力部１４及び振動発生部１７は、ＣＰＵ１０からの指示に従って着信音や振動モータを作動するように構成されている。又、音声入力部１６は、ＣＰＵ１０からの指示に従ってマイクの感度を２段階に調整可能に構成されている。
【００２３】
尚、携帯電話機１は、ＣＰＵ１０と通信モジュール１９とによって、所謂、Ｂｌｕｅｔｏｏｔｈ（登録商標）通信端末装置として機能するようにされている。そして、携帯電話機１には、１対１の無線通話を実現するためのインターコムプロファイルが搭載されており、インターコムプロファイルを有したＢｌｕｅｔｏｏｔｈ（登録商標）通信端末装置と無線通話できるようにされている。
【００２４】
つまり、携帯電話機１は、通常の携帯電話機にＢｌｕｅｔｏｏｔｈ（登録商標）通信端末装置が具備された形態とされている。
【００２５】
ここで、ＣＰＵ１０は、電話や電子メールの発信処理や着信処理の他、少なくともマナーモードの設定及び解除を行う機能を有している。
【００２６】
まず、発信処理において、ＣＰＵ１０は、操作部１３を介して電話の発信コマンドが入力されると、携帯電話網の通信規格に基づいて送受信部１８を制御し、携帯電話網を介して当該携帯電話機１と発信先との通話を確立する。そして、音声入力部１６からの音声データを送受信部１８を介して発信先へ送信したり、送受信部１８にて受信された音声データを音声出力部１５に出力すると共に、操作部１３を介して入力された発信先の電話番号の表示要求を表示部１２に対して行う。又、電子メールの発信コマンドが入力された場合には、送受信部１８を介してメールサーバにアクセスし、メールサーバに電子メールを送信する。
【００２７】
又、着信処理において、ＣＰＵ１０は、まず、発信元の電話番号やメールアドレスの表示要求を表示部１２に対して行うと共に、着信音出力部１４や振動発生部１７に作動要求を行い、使用者に電話や電子メールの着信を通知する。そして、操作部１３を介して電話や電子メールの受付コマンドが入力されると、送受信部１８を制御して、携帯電話網を介して送信元との通話を確立したり、メールサーバにアクセスして、電子メールを受信する。
【００２８】
そして、マナーモード設定処理において、ＣＰＵ１０は、着信音出力部１４に対して着信音の出力を禁止する一方、電話や電子メールの着信時には、振動発生部１７に対して作動要求を行う。又、音声入力部１６に対してマイクの感度の増幅を要求する。尚、マナーモードの解除の際には、着信音出力部１４に対して着信音の禁止を解除すると共に、音声入力部１４に対してマイクの感度を元の段階に戻すように要求する。
【００２９】
尚、ＣＰＵ１０は、発信処理や着信処理を行う際、その前処理として行うマナーモード確認処理を行う。このマナーモード確認処理の流れを図２，３に示すフローチャートに沿って説明する。
【００３０】
まず、図２は、マナーモード確認処理の流れを示すフローチャートである。
【００３１】
図２に示すように、操作部１３を介して電話や電子メールの発信を要求されたり、送受信部１８により復調された信号に基づいて、電話や電子メールの着信をＣＰＵ１０が検出し、本処理が開始されると、ＣＰＵ１０は、まず、携帯電話機１がマナーモードに設定されているか否かを確認する（Ｓ１１０）。そして、マナーモードに設定されていないことを確認すると（Ｎｏ：Ｓ１１０）、マナーモードに設定すべきか否かを判定するマナーモード判定処理を行う（Ｓ１２０）。ここで、マナーモード判定処理の判定結果がマナーモード設定である場合には（Ｙｅｓ：Ｓ１３０）、ＣＰＵ１０は、マナーモード設定処理を実行する（Ｓ１４０）。尚、Ｓ１１０にて、携帯電話機１がすでにマナーモードに設定されていたり（Ｙｅｓ：Ｓ１１０）、Ｓ１３０において、マナーモード判定処理の判定結果が、マナーモード非設定である場合には（Ｎｏ：Ｓ１３０）、ＣＰＵ１０は、現状の設定を維持したまま本処理を終了する。
【００３２】
ここで、図３は、マナーモード判定処理（Ｓ１２０）の流れを示すフローチャートである。
【００３３】
図３に示すように、マナーモード判定処理が開始されると、ＣＰＵ１０は、まず、携帯電話機１の周囲にＢｌｕｅｔｏｏｔｈ（登録商標）規格に基づいて無線通信を行う外部装置が存在するか否かを確認するＩＱパケットを一定時間ブロードキャストする（Ｓ２１０）。
【００３４】
そして、外部装置の種類やアドレス等の情報を示すＦＨＳパケットを外部装置から受信し、周囲に外部装置が存在することを確認すると（Ｙｅｓ：Ｓ２２０）、特定の外部装置を呼び出すＩＤパケットを外部装置のうちの１つに送信し、その返答となるＦＨＳパケットから外部装置がどのようなプロファイルを搭載しているのか確認する（Ｓ２３０）。ここで、外部装置が、上記インターコムプロファイルや音声データの送信を実現するためのヘッドセットプロファイル（以下、「対象プロファイル」という。）を搭載していないことを確認すると（Ｎｏ：Ｓ２４０）、ＣＰＵ１０は、ブロードキャストを行った際に応答してきた外部装置を全てチェックしたのか否かを確認する（Ｓ２５０）。全ての外部装置をチェックしていないと確認した場合には、Ｓ２３０に戻り、チェックしていない外部装置の１つにＩＤパケットを送信し、処理をＳ２４０に移行する。外部装置のいずれかに対象プロファイルが搭載されているのを確認するか、全ての外部装置のチェックが終了するまでＳ２３０及びＳ２４０を繰り返し、全ての外部装置に対象プロファイルが搭載されていないことを確認した場合には、マナーモード非設定を判定結果とし（Ｓ２６０）、本処理を終了する。
【００３５】
尚、Ｓ２４０において、外部装置が対象プロファイルを搭載していることを確認した場合には、ＣＰＵ１０は、マナーモード設定を判定結果として（Ｓ２７０）、本処理を終了する。
【００３６】
ここで、Ｓ２２０において、外部装置からＦＨＳパケットを受信しなかった場合には、外部装置が存在しないと判定し、処理をＳ２６０に移行したのち本処理を終了する。
【００３７】
以上のように構成された携帯電話機１によれば、たとえ使用者が当該携帯電話機１をマナーモードに設定するのを忘れても、使用者の周囲にＢｌｕｅｔｏｏｔｈ（登録商標）通信端末装置を備えた携帯電話機や携帯型の音楽再生装置を携帯している人間がいれば、自動的にマナーモードが設定される。
【００３８】
このため、周囲に他の人間がいるような環境において、電話や電子メールの着信音が鳴ったり、大きな声で通話相手と会話をして、周囲に不快な思いをさせることを防止できる。
【００３９】
又、マナーモード確認処理は、マナーモードの設定が必要となる電話の発信時や、電話もしくは電子メールの着信時にて起動されるため、ＣＰＵ１０の処理の負荷を低減することができる。
【００４０】
又、Ｂｌｕｅｔｏｏｔｈ（登録商標）規格に基づいて無線通信を行う携帯電話機は広く普及しているため、本発明を容易に適用することができる。しかも、Ｂｌｕｅｔｏｏｔｈ（登録商標）規格では、通信距離が１０ｍ程度に設定されているため、ＣＰＵ１０が遠方の外部装置までも検出して、携帯電話機１をマナーモードに設定してしまうことを防止できる。
【００４１】
又、インターコムプロファイルやヘッドセットプロファイル（携帯電話機や携帯型の音楽再生装置に搭載されるプロファイルが存在するのであれば、他のプロファイルであっても良い。）を搭載した外部装置を検出した場合においてのみ、携帯電話機１がマナーモードに設定されるため、携帯電話機や携帯型の音楽再生装置以外のＢｌｕｅｔｏｏｔｈ（登録商標）規格に基づいた無線通信が可能な外部装置を検出してもマナーモードが設定されることがなく、適切な環境でマナーモードの設定がなされる。
【００４２】
［第２実施形態］
本実施形態では、携帯電話機１のマナーモード判定処理が第１実施形態と異なるだけで、携帯電話機１の装置構成（図１参照）については全く同様である。従って、ここでは、マナーモード判定処理についてのみ詳述し、第１実施形態と同様の処理については説明を省略する。
【００４３】
まず、本実施形態において、携帯電話機１は、マナーモードを設定するのに必要な外部装置の規定数がメモリ１１に予め設定されており、検出した外部装置の数が規定数以上である場合にマナーモードを設定するようにされている。
【００４４】
ここで、図４は、本実施形態におけるマナーモード判定処理の流れを示すフローチャートである。
【００４５】
図４に示すように、本処理が開始されると、ＣＰＵ１０は、ＩＱパケットを一定時間ブロードキャストし、携帯電話機１の周囲にＢｌｕｅｔｏｏｔｈ（登録商標）規格に基づいて無線通信を行う外部装置が存在するか否かを確認する（Ｓ３１０）。そして、外部装置からＦＨＳパケットを受信し、周囲に外部装置が存在することを確認すると（Ｙｅｓ：Ｓ３２０）、応答した外部装置の数をカウントする（Ｓ３３０）。ここで、外部装置の数がメモリ１１に設定された規定数に達していることを確認すると（Ｙｅｓ：Ｓ３４０）、マナーモード設定を判定結果として（Ｓ３５０）、本処理を終了する。
【００４６】
ここで、Ｓ３２０にて外部装置からＦＨＳパケットを受信しなかったり（Ｎｏ：Ｓ３２０）、Ｓ３４０にて外部装置の数が規定数に達していない場合には（Ｎｏ：Ｓ３４０）、マナーモード非設定を判定結果として（Ｓ３６０）、本処理を終了する。
【００４７】
本実施形態における携帯電話機１によれば、周囲に少数の外部装置しかなく、少数の人間しか存在しないと考えられる環境であるにも関わらず、携帯電話機１がマナーモードに設定されてしまうことを防止できる。
【００４８】
［第３実施形態］
本実施形態では、第１実施形態の携帯電話機１に新たな処理が追加されると共に、マナーモード判定処理が一部異なるだけで、携帯電話機１の装置構成（図１参照）については全く同様である。従って、ここでは、新たに追加された処理とマナーモード判定処理についてのみ詳述し、第１実施形態と同様の処理については説明を省略する。
【００４９】
まず、本実施形態において、携帯電話機１は、メモリ１１に外部装置が個別に有しているＩＤを登録するデータベースを備え、このデータベースに外部装置のＩＤを予め登録するようにされている。そして、マナーモード判定処理の際、データベースに登録されている外部装置が応答しても、この外部装置に対してプロファイルの確認を行わないようにされている。
【００５０】
ここで、図５は、本実施形態において携帯電話機１のＣＰＵ１０が行う外部装置登録処理の流れを示すフローチャートである。
【００５１】
図５に示すように、本処理が開始されると、ＣＰＵ１０は、まず、携帯電話機１の周囲にＩＱパケットを一定時間ブロードキャストし（Ｓ４１０）、Ｂｌｕｅｔｏｏｔｈ（登録商標）規格に基づいて無線通信を行う外部装置が携帯電話機１の周囲に存在するか否かを確認する（Ｓ４２０）。そして、周囲の外部装置からＦＨＳパケットを受信し、外部装置が存在することを確認すると（Ｙｅｓ：Ｓ４２０）、外部装置のうちの１つにＩＤパケットを送信し、その返答となるＦＨＳパケットから外部装置がどのようなプロファイルを搭載しているのか確認する（Ｓ４３０）。ここで、外部装置が、対象プロファイルを搭載していることを確認すると（Ｙｅｓ：Ｓ４４０）、ＣＰＵ１０は、この外部装置のＩＤがすでにメモリ１１のデータベースに登録されているか否かを確認し（Ｓ４５０）、登録されていないことを確認すると（Ｎｏ：Ｓ４５０）、この外部装置のＩＤをデータベースに登録する（Ｓ４６０）。
【００５２】
そして、応答してきた全ての外部装置をチェックしたのか否かを確認し（Ｓ４７０）、全ての外部装置をチェックしていないことを確認した場合には（Ｎｏ：Ｓ４７０）、処理をＳ４３０に戻し、チェックしていない外部装置に対して、上記処理を繰り返す。
【００５３】
尚、Ｓ４４０において、外部装置に対象プロファイルが搭載されていないことを確認したり（Ｎｏ：Ｓ４４０）、Ｓ４５０において、外部装置のＩＤがすでにデータベースに登録されていることを確認した場合にも（Ｙｅｓ：Ｓ４５０）、ＣＰＵ１０は、処理をＳ４３０に戻し、チェックしていない外部装置に対して、搭載しているプロファイルの確認を行う。
【００５４】
このような処理を経て、全ての外部装置をチェックしたことを確認すると（Ｙｅｓ：Ｓ４７０）、ＣＰＵ１０は本処理を終了する。
【００５５】
尚、Ｓ４２０において、ＦＨＳパケットを受信しなかった場合には（Ｎｏ：Ｓ４２０）、直ちに本処理を終了する。
【００５６】
そして、図６は、本実施形態において携帯電話機１のＣＰＵ１０が行うマナーモード判定処理の流れを示すフローチャートである。  図６に示すように、本処理が開始されると、ＣＰＵ１０は、ＩＱパケットを一定時間ブロードキャストし、携帯電話機１の周囲にＢｌｕｅｔｏｏｔｈ（登録商標）規格に基づいて無線通信を行う外部装置が存在するか否かを確認する（Ｓ５１０）。
【００５７】
外部装置からＦＨＳパケットを受信し、周囲に外部装置が存在することを確認すると（Ｙｅｓ：Ｓ５２０）、ＣＰＵ１０は、受信したＦＨＳパケットの１つをチェックし、ＦＨＳパケットに含まれている外部装置のＩＤがメモリ１１のデータベースに登録されているか否かを確認する（Ｓ５３０）。ここで、データベースに該当するＩＤがないことを確認すると（Ｎｏ：Ｓ５３０）、ＣＰＵ１０は、このＦＨＳパケットを送信してきた外部装置にＩＤパケットを送信し、外部装置に搭載されているプロファイルの確認を行う（Ｓ５４０）。そして、外部装置が対象プロファイルを搭載していないことを確認すると（Ｎｏ：Ｓ５５０）、ＣＰＵ１０は、ブロードキャストを行った際に応答してきた外部装置を全てチェックしたのか否かを確認する（Ｓ５６０）。
【００５８】
全ての外部装置をチェックしていないことを確認した場合には（Ｎｏ：Ｓ５６０）、Ｓ５３０に戻り、チェックしていないＦＨＳパケットのうちの１つを選択し、そのＦＨＳパケットに含まれているＩＤがデータベースに登録されているかを確認し（Ｓ５３０）、Ｓ５５０に移行する。尚、Ｓ５３０において、該当するＩＤがデータベースに登録されていることを確認した場合（Ｙｅｓ：Ｓ５３０）、ＣＰＵ１０は、Ｓ５６０に移行する。
【００５９】
このような処理を経て、全ての外部装置をチェックしたことを確認すると（Ｙｅｓ：Ｓ５６０）、ＣＰＵ１０は、マナーモード非設定を判定結果とし（Ｓ５７０）、本処理を終了する。
【００６０】
尚、Ｓ５２０において、外部装置からＦＨＳパケットを受信しなかった場合には（Ｎｏ：Ｓ５２０）、ＣＰＵ１０は、外部装置が存在しないと判定し、処理をＳ５７０に移行したのち本処理を終了する。
【００６１】
又、Ｓ５５０において、外部装置が対象プロファイルを搭載していることを確認した場合には（Ｙｅｓ：Ｓ５５０）、ＣＰＵ１０は、マナーモード設定を判定結果として（Ｓ５８０）、本処理を終了する。
【００６２】
このように構成された本実施形態の携帯電話機によれば、図７に示すように、携帯電話機１の無線通信の圏内（図中破線で囲まれた部分）にＢｌｕｅｔｏｏｔｈ（登録商標）規格に基づいて無線通信を行う多種多様な外部装置が存在しても、予めマナーモード判定処理の対象としない外部装置のＩＤを登録しておけば、必ずしもマナーモードを設定する必要がない場合であるにも関わらず、携帯電話機１がマナーモードに設定されてしまうことを防止できる。
【００６３】
以上、本発明の実施の形態について説明したが、本発明は、上記実施形態に何ら限定されることはなく、本発明の技術的範囲に属する限り種々の形態をとり得ることはいうまでもない。
【００６４】
例えば、上記第２実施形態では、検出した外部装置の数が規定数に達すると、判定結果をマナーモード設定としていたが、上記第３実施形態のように、予め外部装置のＩＤをデータベースに登録しておき、データベースに登録された外部装置はカウント対象としないようにマナーモード判定処理を設定しても良い。又、外部装置の数が規定数に達しない場合には、応答してきた外部装置が有するプロファイルを確認し、その内の１つでも対象プロファイルを有していたら判定結果をマナーモード設定とするようにマナーモード判定処理を設定しても良い。
【００６５】
又、上記実施形態では、携帯電話機１は、電話や電子メールの着信時もしくは電話の発信時にマナーモードの確認や判定等の処理を行っていたが、外部装置からＩＱパケットを受信することによりマナーモードの確認や判定を開始するように携帯電話機１を設定しても良い。
【００６６】
この場合、図８に示すようなマナーモード確認処理を経て、マナーモード設定処理に移行すれば良い。
【００６７】
即ち、図８に示すように、外部装置からＩＱパケットを受信すると（Ｓ６１０）、ＦＨＳパケットを送信し、応答する（Ｓ６２０）。そして、外部装置にＩＤパケットを送信し、外部装置に搭載されているプロファイルの問い合わせを行う（Ｓ６３０）。外部装置からＦＨＳパケットを受信し（Ｓ６４０）、外部装置が対象プロファイルを有していることを確認したら、マナーモード設定処理に移行する（Ｓ６５０）。
【００６８】
又、上記実施形態では、本発明を携帯電話機に適用したが、本発明を、例えば、Ｂｌｕｅｔｏｏｔｈ（登録商標）通信端末装置を備えた携帯型の音楽再生装置に適用しても良い。
【００６９】
この場合、図９に示すような処理を経て、マナーモード設定処理に移行すれば良い。
【００７０】
即ち、音楽再生装置を操作するリモコンなどからの操作信号を検出したら（Ｓ７１０）、ＩＱパケットをブロードキャストする（Ｓ７２０）。そして、外部装置からＦＨＳパケットを受信したら（Ｓ７３０）、ＩＤパケットを送信して外部装置に搭載されているプロファイルの問い合わせを行う（Ｓ７４０）。外部装置から再度ＦＨＳパケットを受信して（Ｓ７５０）、搭載されているプロファイルを確認し、外部装置が対象プロファイルを有していることを確認したら、ヘッドホンの音量を低減する等のマナーモード設定処理に移行する（Ｓ７６０）。尚、操作信号の検出以外に、音楽再生時における曲の変わり目を検出した時点で、上記処理を開始しても良い。
【００７１】
又、上記実施形態では、携帯電話機１は、Ｂｌｕｅｔｏｏｔｈ（登録商標）規格に基づいて外部装置と無線通信を行い、外部装置の検出を行っていたが、例えば、ユニバーサル・プラグ・アンド・プレイ（ＵＰｎＰ）を用いて、外部装置を検出しても良い。
【００７２】
又、上記実施形態では、マナーモード判定処理等、ＣＰＵ１０が行う処理のプログラムをＲＯＭやＲＡＭからなるメモリ１１に記憶させていたが、例えば、ＦＤ，ＭＯ，ＤＶＤ，ＣＤ−ＲＯＭ，ハードディスク，メモリカード等のコンピュータが読み取り可能な記録媒体に記憶し、その記憶したプログラムを必要に応じてＣＰＵ１０にロードしても良い。
【図面の簡単な説明】
【００７３】
【図１】本発明に係る携帯電話機１の内部構成を示すブロック図である。
【図２】第１実施形態において、ＣＰＵ１０が行うマナーモード確認処理の流れを示すフローチャートである。
【図３】第１実施形態において、ＣＰＵ１０が行うマナーモード判定処理の流れを示すフローチャートである。
【図４】第２実施形態において、ＣＰＵ１０が行うマナーモード判定処理の流れを示すフローチャートである。
【図５】第３実施形態において、ＣＰＵ１０が行う外部装置登録処理の流れを示すフローチャートである。
【図６】第３実施形態において、ＣＰＵ１０が行うマナーモード判定処理の流れを示すフローチャートである。
【図７】第３実施形態における携帯電話機１の周囲の状況を説明する説明図である。
【図８】別形態のマナーモード確認処理の流れを示すシーケンス図である。
【図９】本発明を携帯型の音楽再生装置に適用した場合におけるマナーモード設定処理に移行するまでの処理の流れを示すシーケンス図である。
【符号の説明】
【００７４】
１…携帯電話、  １０…ＣＰＵ、  １１…メモリ、  １２…表示部、  １３…
操作部、  １４…着信音出力部、  １５…音声出力部、  １６…音声入力部、
１７…振動発生部、  １８…送受信部、  １９…通信モジュール。
【図１】
2006020304.tif 000003
【図２】
2006020304.tif 000004
【図３】
2006020304.tif 000005
【図４】
2006020304.tif 000006
【図５】
2006020304.tif 000007
【図６】
2006020304.tif 000008
【図７】
2006020304.tif 000009
【図８】
2006020304.tif 000010
【図９】
2006020304.tif 000011